(57)【特許請求の範囲】
【請求項１】
輻射エネルギビームの位置を検出するのに適当な装置であって、
フォトダイオードの能動領域における輻射エネルギービームの衝突に対応して、電気的信号を生成するように互いに対向して離間した一対の電極を含んだラテラルエフェクトフォトダイオードと、
輻射エネルギービームがフォトダイオードの能動領域に衝突する周期の一部の間、各々の電極によって生成された電気的信号を積分する手段と、
各々の電極によって生成されて積分された電気的信号間の差分の関数として輻射エネルギービームの位置を決定する差分手段と
から構成された装置。
【請求項２】
ビームが表面を第１の方向に横切るときに表面に衝突する輻射エネルギービームの位置を検出し、また、ビームが予め設定された場所を横切る時間を示すのに適当な装置であって、
該装置はラテラルエフェクトフォトダイオードを含んでおり、
該ラテラルエフェクトフォトダイオードは、
フォトダイオード能動領域に衝突する輻射エネルギービームによって生成される第１極性のキャリアに応じて、電気的信号を生成するように互いに対向して離間した第１の電極対と、
第１の電極対とは離間された第２の電極対であり、該第２の電極対は互いに近接し、平行であり、第１方向に垂直な方向のフォトダイオード能動領域に沿って縦方向に延び、該第２の電極対は、第２の電極対の少なくとも一部をカバーするフォトダイオード能動領域に衝突する輻射エネルギービームによって生成される第２極性のキャリアに応じて電気的信号を出力するものである装置。
【発明の詳細な説明】
【０００１】
【産業上の利用分野】
この発明は、輻射エネルギービームの位置の監視に関するもので、さらに詳細には画像走査装置のレーザビームの位置を監視するためのラテラルエフェクトフォトダイオードの使用に関するものである。
【０００２】
【従来の技術】
多層画像を生成するプリンタの処理能力を高めるために、単一パス、多重露光システムが発展してきた。マルチラスタアウトプットスキャナ（ＲＯＳ）単一パスカラープリンタアーキテクチャを作り出す種々の方法が知られている。例えば、Ｄａｍｏｕｔｈ他の米国特許第４，３７０，０４７号は、第４図に単一ポリゴンスキャナを備えた四つの走査システムを利用するタンデムアーキテクチャを開示している。
【０００３】
同様に、単一パスＲＯＳシステムで、カラー画像を得るために複数の原色カラー画像が逐次または順次現像される、単一光受容体を使うこともよく知られている。カラー画像は出力媒体またはコピーシートによく知られた方法で転写できる。例えば、Ｋａｓａｉ他の米国特許第４，７９１，４５２号は、そのような印刷装置を示している。
【０００４】
これらのシステムの共通点は、光受容体移動に対応し選択的に光受容体領域を露光するために用いられる、例えば輻射エネルギービームまたはレーザのような露光源の正確な監視と制御を必要とすることである。例えば、Ｔｒａｉｎｏの米国特許第４，３４９，８４７号と、Ｘｅｒｏｘ  Ｄｉｓｃｌｏｓｕｒｅ  Ｊｏｕｎａｌ、Ｖｏｌ．１４，Ｎｏ．２、ｐ．８５に公開されているＨｕｌｌの”Ｐｒｉｎｔｅｒ  Ｍｏｔｉｏｎ  Ｃｏｍｐｅｎｓａｔｉｏｎ”には、画像ラスタの露光が光受容体に関連して制御される方法が示されている。
【０００５】
Ｌａｓｅｒ  Ｆｏｃｕｓ、Ｍａｒｃｈ  １９７６に公開されたＫｅｌｌｙの”Ｌａｔｅｒａｌ−Ｅｆｆｅｃｔ  Ｐｈｏｔｏｄｉｏｄｅｓ”はフォトダイオードの能動領域に照射されるライトスポットの変位を測定するための、ラテラルエフェクトフォトダイオードを開示している。Ｍａｌａｋの米国特許第４，５１８，８５５号は、一方が基準軸、他方がそれに一直線に並んだ２本の軸の直線整列を検査、監視する方法および装置を開示している。
【０００６】
Ｓｔａｕｆｆｅｒの米国特許第４，８２７，１２０号は、シリンダ長手方向に沿った露光ウインドウを有する、細長く伸ばされた円筒形要素を開示している。
【０００７】
Ｓｈｅｍｗｅｌｌの米国特許第４，９２６，０５０号は、セルの表面を横切るレーザビームに対応する信号を生成する一組の離間したラテラルエフェクトセルを使用する、レシーバを有する距離測定システムを開示している。
【０００８】
ＤｅＨａｉｎａｕｔ他の米国特許第４，９８１，３５４号は、フェーズドアレイテレスコープに使用される差動傾斜センサを開示している。
【０００９】
Ｂａｃｉａｋの米国特許第４，９８７，２９３号は、ラテラルエフェクト検出器に衝突するレーザビームのＸ、Ｙ位置を出力するために使用されるデジタル位置モニタを開示し、Ｘ、Ｙ位置はフェーズドアレイテレスコープの制御に使用されている。
【００１０】
Ｆａｎｔｕｚｚｏ他の米国特許第５，０４３，７４４号は、その上に画像を記録するために移動可能走査要素が移動可能画像化要素を横切って高強度ビームを走査する、ラスタ出力スキャナ（ＲＯＳ）を開示している。
【００１１】
この発明によれば、装置は輻射エネルギービームの第１の方向の位置を検出するために備えられ、この装置は、フォトダイオードの能動領域に衝突する輻射エネルギービームに対応した電気信号を発生するよう、対向して離間した少なくとも２つの電極を有するラテラル−エフェクトフォトダイオードを含んでいる。さらに、この電極は各々、輻射エネルギービームがフォトダイオードに衝突する期間に生成される電気信号を積分する積分手段を有し、その後積分手段の出力は微分手段に送られる。微分手段は、積分された電気信号の差分の関数として輻射エネルギービームの位置を決定する。
【００１２】
図１は、四つのＲＯＳシステムと合体したハウジングを有する単一パスＲＯＳカラー印刷システムを示している。
【００１３】
図２は、デュアルポリゴン光学軸回りの四つのＲＯＳ光学システムの配置を示すＲＯＳハウジング内部の斜視図を示している。
【００１４】
図３は、図１、図２の四つのカラーＲＯＳ印刷システムのための、ビームステアリングシステムの構成要素を示すブロックダイアグラムである。
【００１５】
図４（Ａ）、４（Ｂ）および４（Ｃ）は、本発明のラテラルエフェクトフォトダイオードの詳細を示すものである。
【００１６】
図５、図６、図７は、図４のラテラルエフェクトフォトダイオードに関連したハードウエアを描いた電気配線図である。
【００１７】
図８は、フォトダイオードの能動表面を通るＲＯＳビームの通過の間の、単一軸システムの前置増幅器および積分器から出力された典型的信号の図式実例である。
【００１８】
本発明は、ＲＯＳ実施例のみに限定されるものではなく、ラスタ入力走査システムと関連した輻射エネルギービームを監視するために好適なものである。
【００１９】
【実施例】
本発明のおおまかな理解のために、図１はＲＯＳハウジング４を含んだ単一パスＲＯＳカラー印刷システム２を示している。システム２は四つの分離出力走査ビーム６、８、１０、１２を生成する。システム２はさらに矢印１５で示された処理方向に駆動される光受容体ベルト１４を含んでいる。ベルト１４の長さは図１で破線の長方形で表された離間した整数個の画像領域Ｉ１  −Ｉｎ  を受け入れるよう設計されている。各々の露光ステーション上流には、予め定められた電荷をベルト１４表面に配置する帯電装置（図示されていない）がある。ベルトが図示の方向に移動すると、個々のＲＯＳに入力される画像データ信号に対応した画像露光パターンを供給するために、各々の画像領域は走査線の連続により走査される。画像領域２３の先端が破線矢印２０ａ、２０ｂ、２０ｃおよび２０ｄで表される横方向の走査開始線に達したとき、露光パターンが始まる。露光パターンは、画像領域Ｉ４上の誇張された長手方向の間隔で示されている、近接して離間した複数の横方向走査線２５で形成される。各々の露光ステーションの下流には、先に現像された画像の影響を受けることなく、最新の露光の潜像を現像する現像システムがある。その後、完全に現像されたカラー画像は、図示されていない手段により出力シートに転写される。システム２はフルカラー印刷機であるが、ハイライトカラーは同様な、２つまたはそれ以上のＲＯＳシステムの使用を必要とする。多重露光、単一パスシステムにおける電子写真ステーションの動作のさらなる詳細はＯ’Ｂｒｉｅｎの米国特許第４，６６０，０５９号、Ｋａｓａｉ他の米国特許第４，７９１，４５２号に開示され、関連部分は参考文献として組み込まれている。
【００２０】
図１に開示されたシステムでは、各々のカラー画像Ｉ１  −Ｉ５  は、画像領域の全ての関連する画素が横および進行方向に正しく揃うよう、正確に配置されなければならない。システムの印刷一致公差約３５ミクロンが要求されることもある。さらに要求された配置は光受容体の連続回転（通過）を通して維持されなければならない。
【００２１】
図２は本発明の一つの実施例を示し、ＲＯＳハウジング４は４つの光学的システム３０、３２、３４および３６を備え、これは、モータ（図示されていない）により駆動される共通のスピンドル軸４２で回転する、２つのポリゴン３８、４０の回りに対称配置されている。光学的システム３０、３２、３４および３６は各々変調走査ビーム６、８、１０および１２を発生するよう配置され、各々のビームは異なるカラー画像に関連している。例えば、変調ビームは固体レーザにより発生され、ここでレーザに供給される電流はビームの強さを制御または変調するために使われる。ビームはハウジング（図示されていない）内の開口を介して、パルスビームとして光受容体上に照射される。
【００２２】
図１、図２には対のビームステアリングセンサヘッド４４ａ，ｂ、４６ａ，ｂ、４８ａ，ｂおよび５０ａ，ｂが示され、各対は、光受容体の表面を横切ることによって、各々走査線６、８、１０および１２を検出するために使用される。センサヘッドは、基準として選択されたひとつのビームに対応する進行方向位置と同様にビームスキューを検出するために使用される。センサヘッド４４ａ、４６ａ、４８ａおよび５０ａは走査開始（ＳＯＳ）センサとしても使用することができ、２つの目的のために使用される。第１はレーザビームが走査線を横切るときの進行またはＸ方向のレーザビーム位置を検出し、第２の目的はレーザビームが特定のポイントを横切った時間を決定することで、この事象の発生は各々のカラー画像フレームＩ１  −Ｉ５  のための走査開始位置を同期させるために使用され、これにより高速走査またはＹ方向にフレームが一致する。対のビームステアリングセンサは光受容体ベルト１４の端部に位置するように描かれているが、変形例ではセンサはベルトの下方に置かれ、光ビームがそれを十分な強さで通過することを許すよう、ベルトの透過性は十分に高くされている。他の実施例では、光受容体ベルト１４の露光は、多重ビームＲＯＳシステムに代わって、複数のＬＥＤプリントバーによって達成され、ここでプリントバーの出力と方向はＲＯＳビームの制御と同様な方法で、ビームステアリングセンサ２より生成される信号の結果に基づき制御される。
【００２３】
ここで、図３に言及すると、本発明の電気的ブロックダイアグラムが描写されており、ビームステアリングセンサヘッド、４４ａ，ｂ、４６ａ，ｂ、４８ａ，ｂ、および５０ａ，ｂは独立にインターフェイスプリント配線基板（ＰＷＢ）５４に結合されている。インターフェイスＰＷＢ５４は、センサを、一般に利用可能なマイクロプロセッサ（μＰ）のようなデジタルコントローラ（図示されていない）とインターフェイスするために、各々のビームステアリングセンサに関連して追加の電気回路を含んでいる。さらに詳細には、インターフェイスＰＷＢ５４は、インターフェイスブロック５６ａ，ｂ、５８ａ，ｂ、６０ａ，ｂおよび６２ａ，ｂを含み、それらは各々、センサヘッド４４ａ，ｂ、４６ａ，ｂ、４８ａ，ｂおよび５０ａ，ｂのアナログ信号をインターフェイスするために用いられる。各々のビームステアリングセンサは、センサに電力を供給し、対応するインターフェイスブロックにセンサで発生されたアナログ信号を返送する、ワイヤーハーネス６６によりインターフェイスＰＷＢに結合されている。ひとたびインターフェイスブロックがビームステアリングセンサからの信号を処理すると、その後、この信号はマイクロプロセッサに送信される前に、適当なアナログ−デジタル（Ａ／Ｄ）コンバータ（図示されていない）によりデジタル表現に変換される。その後、マイクロプロセッサは、ビームが望ましい位置でセンサを横切ったか否かを決定するための制御アルゴリズムを実行し、もし否ならば、マイクロプロセッサは、ビームパスを変更するためにＲＯＳ光学系の補正調整を初期化する。その上、多重ビームの実施例では、制御アルゴリズムは、基準として認められた”固定”ビームに対応して、一つまたはさらなるビームの舵取りまたは調整を行う。
【００２４】
図４（Ａ）、図４（Ｂ）及び図４（Ｃ）は、本発明の１つの実施例に用いられる、ラテラルエフェクトフォトダイオードセンサ６８の平面、側面及び底面の正投影図である。特に、図４（Ａ）に描写されるように、一対の表面電極７０および７２は、Ｎ上のＰ、またはＰ上のＮの対向端に配置されている。ここでＰとＮは、能動フォトダイオード領域７４内のドーパント形式を示している。例えば、フォトダイオードは一般に利用できる、Ｖｅｒｙ  Ｈｉｇｈ  ＡｃｃｕｒａｃｙＳｉｎｇｌｅ  Ａｘｉｓ  Ｐｏｓｉｔｉｏｎ  Ｓｅｎｓｉｎｇ  Ｐｈｏｔｏｄｅｔｅｃｔｏｒ（部品番号．ＰＩＮ−ＳＬ３−２）として参照されるＵｎｉｔｅｄ  Ｄｅｔｅｃｔｏｒ  Ｔｅｃｈｎｏｌｏｇｙ（ＵＤＴ）社の３ｍｍ×１ｍｍの単一軸ラテラルフォトダイオードである。しかしながら、このような単一軸フォトダイオードの使用は、ＲＯＳビームの位置検出の実施例を単一次元に制限する。
【００２５】
センサの変形例が図４Ｃに示されており、フォトダイオード領域７４の底面は、第２の一対の対向電極８０および８２により金属化されている。二つの底面電極は、従来の分割検出器と同様の機能を果たし、ここで光電流分割は、ダイオードの上面に加え底面でも達成される。この変形例はフォトダイオードシリコンに対する、ＲＯＳビームに比較的深い貫通力を与えることで達成され、これは典型的に約６８０−７６０ナノメータのＲＯＳビーム波長であり、信号は、上面電極で信号を発生する反対極性のキャリアにより発生される。
【００２６】
動作に際し、ビームがスロット８４の上方に置かれた位置でのフォトダイオードの表面に衝突したときは、底面電極８０および８２は概ね等しい電気信号を出力し、ビームがスロットの両側に置かれたフォトダイオードの表面に衝突したときは、底面電極８０および８２は異なる電気信号を出力する。このような分割検出器の動作はさらに、センサ６８が表面電極７０、７２から、ビームの通過経路の相対位置を示す信号を発生することを可能とし、底面電極からは、電極８０、８２により電流レベル出力を変化させることでビームがスロット８４を横切る時期の信号を発生することを可能とする。本質的に、記載された実施例はセンサヘッド４４ａ、４６ａ、４８ａおよび５０ａの中の走査開始センサを分離する必要を除外し、信号検出器が第１の走査方向への走査開始検出、および処理方向のビーム位置決定の機能を達成することを許す。
【００２７】
ここで、図５、図６、及び図７に言及すると、これらは単一センサチャンネルの電気的概略図を示し、ラテラルエフェクトフォトダイオードセンサ６８は、走査開始（ａ）および走査終了（ｂ）位置を含む各々のチャンネルの基本的要素である。フォトダイオードの位置検出処理に関しては、図６および図７に回路図が特に示されており、電極７０および７２は、信号がワイヤーハーネス６６を介してインターフェイスＰＷＢ５４に送信される前に、増幅されるよう各々増幅器に結合されている。図６でさらに示されているように、増幅器は、４．７ｐＦコンデンサ１０４および２０ＫΩ抵抗器１０６で構成されるフィードバック系を持った演算増幅器であることが望ましく、増幅器（ＡＭＰ）１０２の出力およびその反転入力の間に平行に結合されている。また、フォトダイオードのキャリア集積効率および反応時間を改良するために、フォトダイオード６８は、光検出器のカソードに概ね＋３０ボルトを供給することで逆にバイアスされているが、５ボルトから４０ボルトの間のバイアス電位は、同様に結果として電極のところで適切なキャリア集積を起こす。本実施例は、各々のセンサチャンネルの回路図を２つの物理的に別々の要素に分割し、フォトダイオード６８および増幅器１０２はセンサヘッド部に含まれ、残りの要素はインターフェイスＰＷＢ５４に含まれる。この実施例はセンサヘッドの大きさをさらに小さくするためのもので、これにより、それが光受容体ベルト１４を取り囲む限定構造内に合致可能となる。代わりに、スペースが許せば、チャンネルの追加の要素がセンサヘッドに含まれても良い。
【００２８】
フォトダイオード電極で発生された信号は、ワイヤーハーネス６６内のコンデンサ１１０と低容量ケーブルを介して、積分器（ＩＮＴ）１１２が信号を積分し、それをピーク高さ検出器（ＰＨＤ）１１４に送るインターフェイスＰＷＢ５４に容量結合されている。積分器１１２を使用すれば、ＲＯＳビームがフォトダイオードの表面を短時間で横切る度にＲＯＳビームの早い動きを検出するためにラテラルエフェクトフォトダイオードの使用が可能となる。積分器が存在しないと、電極からの短いパルスは約１または２マイクロ秒の持続時間を持つのみで、ビーム掃引の位置を決定するため、高い反応を有しかつさらに高価な要素なしに利用できない。その上、積分器は、フォトダイオード表面の汚れによるビームの減衰に起因する信号の変動を効果的に最小化する。信号を積分するために、ビーム強さの減衰により引き起こされる電極出力の異常は、積分信号に最低限度の影響をおよぼすのみであり、それ故に短期間の電極出力に重要な影響を及ぼす。同様に、いかなる減衰も、おそらく両電極に同程度の影響を及ぼし、そのため、２つの電極信号の比率には影響しない。さらに積分器の使用はシステムの信号対ノイズ比（Ｓ／Ｎ）を大きくし、高電圧静電複写の帯電と現像サブシステムを使う印刷システムのノイズの多い環境の下で、センサの使用を可能とする。同様に、積分器は速度が遅い、高価でないフォトダイオードの使用を可能とする。
【００２９】
ピーク高さ検出器（ＰＨＤ）１１４は高速処理のためのアクティブフィードバックを有し、積分器１１２からの出力を捕捉するための回路で使用される。その後、ＰＨＤ１１４の出力はそれぞれ、加算（ＳＵＭ）、差分（ＤＩＦ）増幅器１１８および１２０を駆動するために使用される。加算増幅器１１８の出力は入射ＲＯＳビームによってダイオードに供給される全光束の測定結果であり、差分増幅器１２０の出力は、各々の電極で収集されたキャリアの数の差分の関数である。回路の最後の要素は、加算増幅器出力で分割された差分増幅器出力の比の１０倍の値を出力するよう構成された演算装置（ＡＣＵ）１２２である。その後、ＡＣＵ１２２の出力は、アナログ／デジタル変換器（図示されていない）により変換され、マイクロプロセッサに送られる。ここでは、信号が、ＲＯＳビームを適切な位置にするため、ビームステアリング調整が必要か否かを決定するために解釈される。
【００３０】
前記説明の実施例の利点の一つは、次回の走査線のＲＯＳビームによる露光に対応した次回の光束入射に備えて、積分器がゼロポイントに減衰する間積分器出力を維持する、ピーク高さ検出器の能力である。ＰＨＤの使用は、ＡＣＵ１２２の出力をかなり滑らかにし、有効信号がマイクロプロセッサで読み込まれる時間を長くする。処理において、図７に示される回路は、先んじる走査線周期の約１／５または約７５０マイクロ秒の積分器減衰時間を有している。また、ＰＨＤ減衰は、走査線周期の約５０倍に設定され、これは次のビーム掃引に先だって、積分器に前のフルスケール読みの約０．６％以内に減衰することを許し、一方、同じ期間にＰＨＤに前のフルスケール読みの約９８％に減衰することを許すことのみである。積分器とＰＨＤの減衰割合は、装置に関連したコンデンサと抵抗器の対で決定された時定数の関数として制御されることに注目すべきである。効果的には、ＰＨＤ、積分器および大きなフォトダイオード逆バイアスの組み合わせによる使用は、何も対策を施さなければビーム位置検出に使用するためにＲＯＳビームの速い動きを検出するために十分反応できない動作の鈍いフォトダイオードの使用を可能とする。
【００３１】
図８は実施例の増幅器と積分器ステージの典型的信号出力を示している。軌跡ＡはＲＯＳビームがラテラルダイオードを横切るときの増幅器１０２の出力を示し、ここで、およその電圧レベルは図表の左側に沿って示されている。信号立ち上がり時間は約２８０ナノ秒で、先端のところでダイオード容量と増幅器補整コンデンサ１０４の容量との間のミスマッチによる、小さなオーバシュートが生じる。立ち下がり端の減衰時間は約７２０ナノ秒で、多くのフォトダイオードで共通に、２から３マイクロ秒で次第に消え失せる。軌跡Ｂは、関連した積分器１１２の出力を示し、増幅器出力パルスの先端のところでゼロレベルで始まり、図表の右側に沿って示されるように、約０．４３ボルトの最大値に立ち上がる。
【００３２】
図５の電気的ブロックダイアグラムに描かれているのは、図４Ｃに示された分割検出器の実施例に関連した回路で、ここでフォトダイオード６８はまた、ＲＯＳビームが、並行電極８０、８２の間の小さな間隙または場所を横切る時間を検出するために使用される。電極８０、８２からの信号は前置増幅器１３０に送られ、ここで信号は、ワイヤーハーネス６６を介してインターフェイスＰＷＢ５４へ伝送できる大きさまで増幅される。その後、信号の間の差分は、比較器１３２で決定される。比較器の出力は、ＲＯＳビームがフォトダイオード６８を横切るときの位置に応じて変化する。最初に、一方の電極は、ビームが第１電極上に横たわるフォトダイオード領域を横切るときに、ビームにより発生されるキャリヤの大部分を引き寄せ、これにより比較器１３２をその出力範囲の一方端に駆動する。しかし、ＲＯＳビームがフォトダイオード中央で２つの電極の間隙と交差するときには、第２電極がキャリヤの大部分を引き寄せるので比較器の出力は即座に状態を変え、これにより比較器の出力範囲をその他方端に駆動する。
【００３３】
比較器１３２の出力レベルを監視することによって、ビームがフォトダイオードの中央に沿った場所またはスロットを横切った瞬間が決定でき、これにより走査開始を起動する信号を与える。その後、その信号は、例えば図１および図２のビーム８、１０および１２で示される残りのＲＯＳビームを同期させるために利用され、ベルト１４上に生成された合成画像の高速走査重ね合わせを容易にするために利用される。重ね合わせは、各々のＲＯＳビームのための走査開始指示が受信される、時間の関数で決定される時間周期での画像データに対する、ＲＯＳビームの実際の変調を適切に遅らせることで達成される。
【００３４】
さらに他の実施例においては、図５および図７に示された加算増幅器１１８からの出力信号は、各々のＲＯＳビームの露光強さの相対的表示を与えるために使用される。一度、ＲＯＳビーム６、８、１０および１２の強さが望ましい露光レベルを与えるように較正されると、加算増幅器１１８の出力はアナログ／デジタル変換器（図示されていない）によりデジタル値に変換され、記憶される。記憶値は、ＲＯＳビームの露光強さが、較正を通じて先にセットされた予め定められた強さの範囲内かを決定するために、例えばｎ走査線毎に周期基準でのその後の読みと比較される。一方で、この方法で発生された強さ信号は、ＲＯＳビーム強さの直接的測定を与えるには適切でないことに気づくことは重要である。この信号は、ＲＯＳ印刷システム内の較正処理をトリガするために使用される露光強さの変動または急変を示すよう、十分な分解能を備えている。
【００３５】
要約すると、本発明は輻射エネルギビームの位置と強さを監視する装置と方法に関するものである。本発明はビームがフォトダイオード表面を横切る間のビーム位置を効果的に測定し、同様にビーム強さの相対表示を与えるために、ラテラルエフェクトフォトダイオードからの電極電流を積分する技術を利用している。積分技術の利用は、印刷システムがビームのパルス周期に比較的に鈍い故に、ＲＯＳベースの印刷システムの広い範囲への本発明の使用が可能となる。積分は、同様にパルスが読みとられる時間と独立して、センサにより発生された測定を行う。その上、積分器がピーク高さ検出器と結合されているとき、その信号は積分器がリセットされた間保存でき、これにより制御装置によるその後の問い合わせが可能となる。
【図面の簡単な説明】
【図１】四つのＲＯＳシステムと合体したハウジングを有する単一パスＲＯＳカラー印刷システムを示している。
【図２】デュアルポリゴン光学軸回りの四つのＲＯＳ光学システムの配置を示すＲＯＳハウジング内部の斜視図を示している。
【図３】図１、図２の四つのカラーＲＯＳ印刷システムのための、ビームステアリングシステムの構成要素を示すブロックダイアグラムである。
【図４】本発明のラテラルエフェクトフォトダイオードの詳細を示すものである。
【図５】図４のラテラルエフェクトフォトダイオードに関連したハードウエアを描いた電気配線図の全体である。
【図６】図４のラテラルエフェクトフォトダイオードに関連したハードウエアを描いた電気配線図の第１の部分である。
【図７】図４のラテラルエフェクトフォトダイオードに関連したハードウエアを描いた電気配線図の第２の部分である。
【図８】フォトダイオードの能動表面を通るＲＯＳビームの通過の間の、単一軸システムの前置増幅器および積分器から出力された典型的信号の図式実例である。
【符号の説明】
２…ビームステアリングセンサ、６…ビーム、８…ビーム、１２…ビーム、１４…光受容体ベルト、２３…画像領域、２５…横方向走査線、３２…光学的システム、４２…共通のスピンドル軸、６６…ワイヤーハーネス、６８…レテラルエフェクトフォトダイオードセンサ
【図１】
0003552170.tif 000002
【図２】
0003552170.tif 000003
【図３】
0003552170.tif 000004
【図４】
0003552170.tif 000005
【図５】
0003552170.tif 000006
【図６】
0003552170.tif 000007
【図７】
0003552170.tif 000008
【図８】
0003552170.tif 000009